(57)【要約】【課題】初期起動時に流れる突入電流を防止し、低内圧スイッチング素子を使用する。【解決手段】プラズマディスプレイパネルの駆動装置で、第１及び第２スイッチング素子が電源（Ｖｓ）とパネルキャパシターの一端の間に直列に連結され、第３及び第４スイッチング素子がパネルキャパシターの一端と電源（−Ｖｓ）の間に直列に連結される。パネルキャパシターの一端が−Ｖｓ電圧で実質的に固定された状態で第１及び第２スイッチング素子の接点と接地端の間を電気的に連結し、パネルキャパシターの一端がＶｓ電圧で実質的に固定された状態で第３及び第４スイッチング素子の接点と接地端の間を電気的に連結する。【選択図】　図４
2004038158.tif 000002
【特許請求の範囲】
【請求項１】
パネルキャパシターが形成されるプラズマディスプレイパネルの駆動装置において、
第１電圧を供給する第１電源と前記パネルキャパシターの一端の間に直列に電気的に連結される第１及び第２スイッチング素子、及び前記パネルキャパシターの一端と第２電圧を供給する第２電源の間に直列に電気的に連結される第３及び第４スイッチング素子を含む第１駆動部と、
前記第１及び第２スイッチング素子の接点と前記第３及び第４スイッチング素子の接点の間に電気的に連結されて、その接点が第３電圧を供給する第３電源に電気的に連結される第５及び第６スイッチング素子を含む第１クランピング部とを含むことを特徴とするプラズマディスプレイパネルの駆動装置。
【請求項２】
前記第１クランピング部は、前記第１電源と前記第２電源の間に直列に電気的に連結され、その接点が前記第５及び第６スイッチング素子の接点に電気的に連結される第１及び第２キャパシターをさらに含むことを特徴とする請求項１に記載のプラズマディスプレイパネルの駆動装置。
【請求項３】
前記パネルキャパシターの一端と前記第３電源の間に形成され、前記パネルキャパシターで使用された無効電力を回収する電力回収部をさらに含むことを特徴とする請求項１に記載のプラズマディスプレイパネルの駆動装置。
【請求項４】
前記電力回収部は、
前記パネルキャパシターの一端に一端が電気的に連結される少なくとも一つのインダクタ、そして前記インダクタの他端と前記第３電源の間に並列に電気的に連結される第７及び第８スイッチング素子を含むことを特徴とする請求項３に記載のプラズマディスプレイパネルの駆動装置。
【請求項５】
前記第１乃至第６スイッチング素子は、ボディーダイオードを有することを特徴とする請求項１に記載のプラズマディスプレイパネルの駆動装置。
【請求項６】
前記第１電源と前記パネルキャパシターの他端の間に直列に電気的に連結される第７及び第８スイッチング素子、及び前記パネルキャパシターの他端と前記第２電源の間に直列に電気的に連結される第９及び第１０スイッチング素子を含む第２駆動部と、
前記第７及び第８スイッチング素子の接点と前記第９及び第１０スイッチング素子の接点の間に電気的に連結され、その接点が前記第３電源に電気的に連結される第１１及び第１２スイッチング素子を含む第２クランピング部とをさらに含むことを特徴とする請求項１に記載のプラズマディスプレイパネルの駆動装置。
【請求項７】
パネルキャパシターが形成されるプラズマディスプレイパネルの駆動装置において、
第１電圧を供給する第１電源と前記パネルキャパシターの一端の間に直列に電気的に連結される第１及び第２スイッチング素子、及び前記パネルキャパシターの一端と第２電圧を供給する第２電源の間に直列に電気的に連結される第３及び第４スイッチング素子を含み、前記第１及び第２スイッチング素子と前記第３及び第４スイッチング素子の駆動によって前記パネルキャパシターの一端に各々前記第１及び第２電圧を交互に印加する第１駆動部と、
前記パネルキャパシターの一端が前記第２電圧で実質的に固定された状態で前記第１及び第２スイッチング素子の接点と第３電圧を供給する第３電源の間に電気的に連結される第１信号線、及び前記パネルキャパシターの一端が前記第１電圧で実質的に固定された状態で前記第３及び第４スイッチング素子の接点と前記第３電源の間に電気的に連結される第２信号線を含む第１クランピング部とを含むことを特徴とするプラズマディスプレイパネルの駆動装置。
【請求項８】
前記第１クランピング部は、前記第１及び第２信号線上に形成され、各々ボディーダイオードを有する第５及び第６スイッチング素子をさらに含むことを特徴とする請求項７に記載のプラズマディスプレイパネルの駆動装置。
【請求項９】
前記第１及び第２スイッチング素子が遮断されて前記第３及び第４スイッチング素子が導通した状態で前記第５スイッチング素子が導通し、前記第１及び第２スイッチング素子が導通して前記第３及び第４スイッチング素子が遮断された状態で前記第６スイッチング素子が導通することを特徴とする請求項８に記載のプラズマディスプレイパネルの駆動装置。
【請求項１０】
前記第１乃至第４スイッチング素子は、ボディーダイオードを有することを特徴とする請求項７に記載のプラズマディスプレイパネルの駆動装置。
【請求項１１】
前記第１信号線によって前記第１及び第２スイッチング素子の内圧は、各々前記第１及び第３電圧の差と前記第３及び第２電圧の差で各々クランピングされ、
前記第２信号線によって前記第３及び第４スイッチング素子の内圧は各々前記第１及び第３電圧の差と前記第３及び第２電圧の差で各々クランピングされることを特徴とする請求項７に記載のプラズマディスプレイパネルの駆動装置。
【請求項１２】
前記第１電源と前記パネルキャパシターの一端の間に直列に電気的に連結される第５及び第６スイッチング素子、及び前記パネルキャパシターの一端と前記第２電源の間に直列に電気的に連結される第７及び第８スイッチング素子を含み、前記第５及び第６スイッチング素子と前記第７及び第８スイッチング素子の駆動によって前記パネルキャパシターの一端に各々前記第１及び第２電圧を交互に印加する第２駆動部と、
前記パネルキャパシターの一端が前記第２電圧で実質的に固定された状態で前記第５及び第６スイッチング素子の接点と前記第３電源の間に電気的に連結される第３信号線、及び前記パネルキャパシターの一端が前記第１電圧で実質的に固定された状態で前記第７及び第８スイッチング素子の接点と前記第３電源の間に電気的に連結される第４信号線を含む第２クランピング部とをさらに含むことを特徴とする請求項７に記載のプラズマディスプレイパネルの駆動装置。
【請求項１３】
前記パネルキャパシターの一端に電気的に連結される少なくとも一つのインダクタを含み、前記インダクタと前記パネルキャパシターの間で発生する共振を利用して前記パネルキャパシターの端子電圧を変える電力回収部をさらに含むことを特徴とする請求項７に記載のプラズマディスプレイパネルの駆動装置。
【請求項１４】
前記電力回収部は、
前記パネルキャパシターの一端が前記第１及び第２電圧を維持している間に前記インダクタにエネルギーを保存し、前記インダクタに保存されたエネルギーと前記共振を利用して前記パネルキャパシターの端子電圧を変えることを特徴とする請求項１３に記載のプラズマディスプレイパネルの駆動装置。
【請求項１５】
パネルキャパシターの一端に電気的に連結された第１及び第２信号線を通じて各々第１及び第２電圧を交互に印加しながらプラズマディスプレイパネルを駆動する方法において、
前記第１信号線を通じて前記パネルキャパシターの一端が前記第１電圧で固定された状態で、前記第２信号線に形成された複数の第１スイッチング素子の間に第３電圧を電気的に連結する第１段階と、
前記第２信号線を通じて前記パネルキャパシターの一端が前記第２電圧で固定された状態で、前記第１信号線に形成された複数の第２スイッチング素子の間に前記第３電圧を電気的に連結する第２段階とを含むことを特徴とするプラズマディスプレイパネルの駆動方法。
【請求項１６】
前記第１段階は、前記第２信号線に形成された二つの第１スイッチング素子の接点に前記第３電圧を電気的に連結し、
前記第２段階は、前記第１信号線に形成された二つの第２スイッチング素子の接点に前記第３電圧を電気的に連結することを特徴とする請求項１５に記載のプラズマディスプレイパネルの駆動方法。
【請求項１７】
前記第１段階は前記パネルキャパシターの一端に電気的に連結されるインダクタと前記パネルキャパシターの間の共振を利用して前記パネルキャパシターの一端電圧を前記第１電圧まで上げる段階をさらに含み、
前記第２段階は、前記インダクタと前記パネルキャパシターの間の共振を利用して前記パネルキャパシターの一端電圧を前記第２電圧まで下げる段階をさらに含むことを特徴とする請求項１５に記載のプラズマディスプレイパネルの駆動方法。
【請求項１８】
前記第１段階は前記第３電圧、前記インダクタ及び前記第２信号線で形成される経路を通じて前記インダクタにエネルギーを保存する段階をさらに含み、
前記第２段階は、前記第１信号線、前記インダクタ及び前記第３電圧で形成される経路を通じて前記インダクタにエネルギーを保存する段階をさらに含むことを特徴とする請求項１７に記載のプラズマディスプレイパネルの駆動方法。
【発明の詳細な説明】
【０００１】
【発明の属する技術分野】
本発明は、プラズマディスプレイパネル（ＰＤＰ）の駆動装置と駆動方法に関する。
【０００２】
【従来の技術】
最近、液晶表示装置（ＬＣＤ）、電界放出表示装置（ＦＥＤ）、プラズマディスプレイパネルなどの平面表示装置が活発に開発されている。これら平面表示装置の中でプラズマディスプレイパネルは他の平面表示装置に比べて輝度及び発光効率が高くて視野角が広いという長所がある。したがって、プラズマディスプレイパネルは４０インチ以上の大型表示装置で従来の陰極線管（ＣＲＴ）を代替する表示装置として脚光を浴びている。
【０００３】
プラズマディスプレイパネルは、気体放電によって生成されたプラズマを利用して文字または映像を表示する平面表示装置であって、その大きさによって数十から数百万個以上の画素がマトリックス形態に配列されている。このようなプラズマディスプレイパネルは、印加される駆動電圧波形の形態と放電セルの構造によって直流型（ＤＣ形）と交流型（ＡＣ形）に区分される。
【０００４】
直流型プラズマディスプレイパネルは、電極が放電空間にそのまま露出されていて電圧が印加される間に電流が放電空間にそのまま流れ、このために電流制限のための抵抗を作らなければならない短所がある。反面、交流型プラズマディスプレイパネルでは電極を誘電体層が覆っていて自然なキャパシタンス成分の形成で電流が制限され、放電時イオンの衝撃から電極が保護されるので直流型に比べて寿命が永いという長所がある。
【０００５】
一般に交流型プラズマディスプレイパネルの駆動方法は、リセット（初期化）期間、記録（アドレシング）期間、維持放電期間、消去期間で構成される。
【０００６】
リセット期間は、セルにアドレシング動作が円滑に行われるようにするために各セルの状態を初期化する期間であり、記録期間はパネルで点灯するセルと点灯しないセルを選択して点灯するセル（アドレシングされたセル）に壁電荷を蓄積する動作を行う期間である。維持放電期間はアドレシングされたセルに実際に画像を表示するための放電を行う期間で、維持放電期間になれば走査電極（以下、“Ｙ電極”という）と維持電極（以下、“Ｘ電極”という）にサステインパルスが交互に印加され維持放電が行われ映像が表示される。消去期間はセルの壁電荷を減少させて維持放電を終了させる期間である。
【０００７】
交流型プラズマディスプレイパネルは、その維持放電のためのＹ電極及びＸ電極が容量性負荷として作用するために走査電極及び維持電極に対するキャパシタンスが存在するが、以下ではこれをパネルキャパシター（Ｃｐ）という。
【０００８】
以下、従来の交流型プラズマディスプレイパネルの駆動回路とその駆動方法について説明する。
【０００９】
図１及び図２は、従来の駆動回路とその動作波形を示す図面である。
【００１０】
図１に示したように、Ｋｉｓｈｉなどにより提案されたサステインパルスを生成する駆動回路（日本特許第３２０１６０３号）はＹ電極駆動部１１、Ｘ電極駆動部１２、Ｙ電極電源部１３及びＸ電極電源部１４を含む。Ｘ電極駆動部１２及びＸ電極電源部１４は、Ｙ電極駆動部１１及びＹ電極電源部１３と同一な構成になっているので、Ｘ電極駆動部１２及びＸ電極電源部１４の構造と動作についての説明は省略し、以下ではＹ電極駆動部１１及び電源部１３についてだけ説明する。
【００１１】
Ｙ電極電源部１３は、キャパシター（Ｃ１）と３個のスイッチング素子（ＳＷ１、ＳＷ２、ＳＷ３）を含み、Ｙ電極駆動部１１は、２個のスイッチング素子（ＳＷ４、ＳＷ５）を含む。Ｙ電極電源部１３内のスイッチング素子（ＳＷ１、ＳＷ２）は、電源（Ｖｓ）と接地電圧（ＧＮＤ）の間に直列に連結される。スイッチング素子（ＳＷ１、ＳＷ２）の接点にはキャパシター（Ｃ１）の一端が連結され、このキャパシター（Ｃ１）の他端と接地電圧の間にはスイッチング素子（ＳＷ３）が連結されている。
【００１２】
Ｙ電極駆動部１１のスイッチング素子（ＳＷ４、ＳＷ５）はＹ電極電源部１３のキャパシター（Ｃ１）の両端に直列に連結され、その接点にはパネルキャパシター（Ｃｐ）が連結されている。
【００１３】
この時、図２に示したようにスイッチング素子（ＳＷ１、ＳＷ３、ＳＷ２’）が導通してスイッチング素子（ＳＷ２、ＳＷ４、ＳＷ５）が遮断された後、スイッチング素子（ＳＷ４、ＳＷ４’）が導通すれば、Ｙ電極電圧（Ｖｙ）はＶｓに上昇し、キャパシター（Ｃ１）にはＶｓの電圧が充電される。
【００１４】
次に、スイッチング素子（ＳＷ４）が遮断されてスイッチング素子（ＳＷ５）が導通すればＹ電極電圧（Ｖｙ）は接地電圧まで下降する。その後、スイッチング素子（ＳＷ１、ＳＷ３、ＳＷ４）が遮断されてスイッチング素子（ＳＷ２、ＳＷ５）が導通すれば、キャパシター（Ｃ１）に充電されているＶｓ電圧によってＹ電極電圧（Ｖｙ）は−Ｖｓに下降する。そして、その次のタイミングでスイッチング素子（ＳＷ５）が遮断されてスイッチング素子（ＳＷ４）が導通すれば、Ｙ電極電圧（Ｖｙ）は接地電圧（０Ｖ）まで上昇する。
【００１５】
このように駆動することによってＹ電極に正電圧（＋Ｖｓ）と負電圧（−Ｖｓ）を交互に印加することができ、同様にＸ電極にも正電圧（＋Ｖｓ）と負電圧（−Ｖｓ）を交互に印加することができる。この時、Ｘ電極及びＹ電極の各々に印加する電圧（±Ｖｓ）は互いに位相が反転されるように印加する。このように−ＶｓとＶｓの間をスイングするサステインパルスを生成することにより、Ｘ電極とＹ電極間の電位差を維持放電電圧（２Ｖｓ）にすることができる。
【００１６】
このような回路で使用される各素子の内圧はＶｓとすればいいので内圧が小さい素子を使用することができる。しかし、このような駆動回路は−ＶｓからＶｓにスイングするパルスを使用するプラズマディスプレイパネルでだけ使用できるという問題点がある。
【００１７】
そして、このような回路では負電圧に利用される電圧を保存するためのキャパシターの容量が大きくなければならないので、このようなキャパシターによって初期起動時に相当な陽の突入電流が流れるという問題点がある。
【００１８】
【発明が解決しようとする課題】
本発明が目的とする技術的課題は、初期起動時に流れる突入電流を防止し、低内圧スイッチング素子を使用することである。
【００１９】
【課題を解決するための手段】
本発明によるプラズマディスプレイパネルの駆動装置は、第１駆動部と第１クランピング部を含み、第１駆動部は、第１電圧を供給する第１電源とパネルキャパシターの一端の間に直列に電気的に連結される第１及び第２スイッチング素子、及びパネルキャパシターの一端と第２電圧を供給する第２電源の間に直列に電気的に連結される第３及び第４スイッチング素子を含む。
【００２０】
本発明の一つの実施例によれば、第１クランピング部は、第１及び第２スイッチング素子の接点と第３及び第４スイッチング素子の接点の間に電気的に連結され、その接点が第３電圧を供給する第３電源に電気的に連結される第５及び第６スイッチング素子を含む。
【００２１】
この時、第１クランピング部は、第１電源と第２電源の間に直列に電気的に連結され、その接点が第５及び第６スイッチング素子の接点に電気的に連結される第１及び第２キャパシターをさらに含むことができる。
【００２２】
本発明の他の実施例によれば、第１駆動部は、第１及び第２スイッチング素子と第３及び第４スイッチング素子の駆動によってパネルキャパシターの一端に各々第１及び第２電圧を交互に印加する。そして第１クランピング部は、パネルキャパシターの一端が第２電圧で実質的に固定された状態で第１及び第２スイッチング素子の接点と第３電源の間に電気的に連結される第１信号線、及びパネルキャパシターの一端が第１電圧で実質的に固定された状態で第３及び第４スイッチング素子の接点と第３電源の間に電気的に連結される第２信号線を含む。
【００２３】
この時、第１クランピング部は、第１及び第２信号線上に形成され、各々ボディーダイオードを有する第５及び第６スイッチング素子をさらに含むのが好ましい。第５スイッチング素子は、第１及び第２スイッチング素子が遮断され第３及び第４スイッチング素子が導通した状態で導通し、第６スイッチング素子は、第１及び第２スイッチング素子が導通して第３及び第４スイッチング素子が遮断された状態で導通する。
【００２４】
そして、第１信号線によって第１及び第２スイッチング素子の内圧は、各々第１及び第３電圧の差と第３及び第２電圧の差でクランピングされ、第２信号線によって第３及び第４スイッチング素子の内圧は、各々第１及び第３電圧の差と第３及び第２電圧の差でクランピングされる。
【００２５】
本発明の駆動装置は、パネルキャパシターの一端に電気的に連結される少なくとも一つのインダクタを含み、インダクタとパネルキャパシターの間で発生する共振を利用してパネルキャパシターの端子電圧を変える電力回収部をさらに含むのが好ましい。
【００２６】
この時、電力回収部は、パネルキャパシターの一端が第１または第２電圧を維持している間にインダクタにエネルギーを保存し、インダクタに保存されたエネルギーと共振を利用してパネルキャパシターの端子電圧を変えることができる。
【００２７】
本発明のプラズマディスプレイパネルを駆動する方法によれば、第１信号線を通じてパネルキャパシターの一端が第１電圧で固定された状態で、第２信号線に形成された複数の第１スイッチング素子の間に第３電圧を電気的に連結する。そして第２信号線を通じてパネルキャパシターの一端が第２電圧で固定された状態で、第１信号線に形成された複数の第２スイッチング素子の間に第３電圧を電気的に連結する。
【００２８】
この時、パネルキャパシターの一端に電気的に連結されるインダクタとパネルキャパシターの間の共振を利用してパネルキャパシターの一端電圧を第１電圧まで上げ、インダクタとパネルキャパシターの間の共振を利用してパネルキャパシターの一端電圧を第２電圧まで下げるのが好ましい。
【００２９】
また、パネルキャパシターの一端電圧を変える前に、第３電圧、インダクタ及び第２信号線で形成される経路を通じてインダクタにエネルギーを保存し、第１信号線、インダクタ及び第３電圧で形成される経路を通じて前記インダクタにエネルギーを保存することができる。
【００３０】
【発明の実施の形態】
以下、添付した図面を参照して本発明の実施例について本発明の属する技術分野における通常の知識を有する者が容易に実施できるように詳細に説明する。しかし、本発明は多様な相異なる形態に実現することができ、ここで説明する実施例に限定されない。
【００３１】
図面から本発明を明確に説明するために説明と関係ない部分は省略した。明細書全般にかけて類似な部分については同一な図面符号を付けた。ある部分が他の部分と連結されているという時、これは直接的に連結されている場合だけでなく、その中間に他の素子を隔てて連結されている場合も含む。
【００３２】
次に、本発明の実施例によるプラズマディスプレイパネルの駆動装置及び駆動方法について図面を参照して詳細に説明する。
【００３３】
まず、図３を参照して本発明によるプラズマディスプレイパネルについて説明する。
【００３４】
図３は本発明によるプラズマディスプレイパネルを示す図面である。
【００３５】
図３に示したように、本発明によるプラズマディスプレイパネルは、プラズマパネル１００、アドレス駆動部２００、走査・維持駆動部３００及び制御部４００を含む。
【００３６】
プラズマパネル１００は、列方向に配列されている複数のアドレス電極（Ａ１〜Ａｍ）、行方向にジグザグに配列されている複数の走査電極（Ｙ１〜Ｙｎ）及び維持電極（Ｘ１〜Ｘｎ）を含む。
【００３７】
アドレス駆動部２００は、制御部４００からアドレス駆動制御信号を受信して表示しようとする放電セルを選択するための表示データ信号を各アドレス電極に印加する。
【００３８】
走査・維持駆動部３００は、制御部４００から維持放電信号を受信して走査電極と維持電極にサステインパルス電圧を交互に入力することにより、選択された放電セルに対して維持放電を行う。
【００３９】
制御部４００は、外部から映像信号を受信してアドレス駆動制御信号と維持放電信号を生成し各々アドレス駆動部２００と走査・維持駆動部３００に印加する。
【００４０】
以下、図４乃至図６を参照して本発明の第１実施例による走査・維持駆動部３００の駆動回路を説明する。
【００４１】
図４は、本発明の第１実施例による駆動回路を示す図面である。
【００４２】
図４に示したように、本発明の第１実施例による駆動回路は、Ｙ電極駆動部３１０、Ｘ電極駆動部３２０、Ｙ電極クランピング部３３０及びＸ電極クランピング部３４０を含む。
【００４３】
Ｙ電極駆動部３１０及びＸ電極駆動部３２０は、パネルキャパシター（Ｃｐ）を隔てて連結されている。Ｙ電極駆動部３１０は、電源（Ｖｓ）とパネルキャパシター（Ｃｐ）のＹ電極の間に直列に連結されているスイッチング素子（Ｙｓ、Ｙｈ）及びパネルキャパシター（Ｃｐ）のＹ電極と電源（−Ｖｓ）の間に直列に連結されているスイッチング素子（ＹＬ、Ｙｇ）を含む。
【００４４】
同様に、Ｘ電極駆動部３２０は、電源（Ｖｓ）とパネルキャパシター（Ｃｐ）のＸ電極の間に直列に連結されているスイッチング素子（Ｘｓ、Ｘｈ）及びパネルキャパシター（Ｃｐ）のＸ電極と電源（−Ｖｓ）の間に直列に連結されているスイッチング素子（ＸＬ、Ｘｇ）を含む。
【００４５】
Ｙ電極クランピング部３３０は、スイッチング素子（Ｙｕ、Ｙｂ）を含み、このスイッチング素子（Ｙｕ、Ｙｂ）は各々スイッチング素子（Ｙｓ、Ｙｈ）の接点と接地端の間及びスイッチング素子（ＹＬ、Ｙｇ）の接点と接地端の間に連結されている。そして実際回路を実現する場合には電源（Ｖｓ）及び電源（−Ｖｓ）の電圧を充電しているキャパシター（Ｃ１、Ｃ２）をさらに形成することができる。
【００４６】
同様に、Ｘ電極クランピング部３４０は、スイッチング素子（Ｘｕ、Ｘｂ）を含み、このスイッチング素子（Ｘｕ、Ｘｂ）は、各々スイッチング素子（Ｘｓ、Ｘｈ）の接点と接地端の間及びスイッチング素子（ＸＬ、Ｘｇ）の接点と接地端の間に連結されている。そして電源（Ｖｓ）及び電源（−Ｖｓ）の電圧を充電しているキャパシター（Ｃ３、Ｃ４）をさらに形成することができる。
【００４７】
図４ではＹ及びＸ電極駆動部３１０、３２０とＹ及びＸ電極クランピング部３３０、３４０に含まれるスイッチング素子（Ｙｓ、Ｙｈ、ＹＬ、Ｙｇ、Ｙｕ、Ｙｂ、Ｘｓ、Ｘｈ、ＸＬ、Ｘｇ、Ｘｕ、Ｘｂ）をＭＯＳＦＥＴで表示したが、これらに限定されずに同一または類似な機能を行うのであればスイッチング素子を使用しても関係ない。そしてこのようなスイッチング素子はボディーダイオードを有するのが好ましい。
【００４８】
次に、図５Ａ及び図５Ｂ、図６を参照して本発明の第１実施例による駆動回路の駆動方法を説明する。
【００４９】
図５Ａ及び図５Ｂは、本発明の第１実施例による駆動回路で各モードの電流経路を示す図面であり、図６は、本発明の第１実施例による駆動回路の動作タイミングを示す図面である。
【００５０】
本発明の第１実施例では、電源（Ｖｓ、−Ｖｓ）が供給する電圧を各々Ｖｓ及び−Ｖｓに仮定し、キャパシター（Ｃ１、Ｃ２、Ｃ３、Ｃ４）にはＶｓの電圧が充電されているとする。そして電圧（Ｖｓ）はパネルの維持放電に必要な電圧である維持放電電圧（２Ｖｓ）の半分に該当する電圧と仮定する。
【００５１】
まず、図５Ａ及び図６を参照してモード１（Ｍ１）での動作を説明する。モード１ではスイッチング素子（Ｘｓ、Ｘｈ、Ｙｇ、ＹＬ、Ｘｂ、Ｙｕ）が遮断された状態でスイッチング素子（Ｙｓ、Ｙｈ、Ｘｇ、ＸＬ、Ｙｂ、Ｘｕ）が導通する。
【００５２】
その後、導通したスイッチング素子（Ｙｓ、Ｙｈ）によってパネルキャパシター（Ｃｐ）のＹ電極には電源（Ｖｓ）の電圧（Ｖｓ）が印加され、導通したスイッチング素子（ＸＬ、Ｘｇ）によってパネルキャパシター（Ｃｐ）のＸ電極には電源（−Ｖｓ）の電圧（−Ｖｓ）が印加される。したがって、パネルキャパシター（Ｃｐ）のＹ及びＸ電極電圧（Ｖｙ、Ｖｘ）は、各々Ｖｓ及び−Ｖｓになって、パネルキャパシター（Ｃｐ）の両端に印加される電圧は２Ｖｓとなる。つまり、維持放電に必要な電圧である２Ｖｓを印加することができる。
【００５３】
そして、スイッチング素子（Ｙｂ）が導通すれば、キャパシター（Ｃ１）、スイッチング素子（Ｙｓ、Ｙｈ、ＹＬ）及びスイッチング素子（Ｙｂ）のボディーダイオードのループを通じてキャパシター（Ｃ１）に充電されている電圧（Ｖｓ）がスイッチング素子（ＹＬ）の両端に印加され、キャパシター（Ｃ２）、スイッチング素子（Ｙｂ）及びスイッチング素子（Ｙｇ）のループを通じてキャパシター（Ｃ２）に充電されている電圧（Ｖｓ）がスイッチング素子（Ｙｇ）の両端に印加される。
【００５４】
また、スイッチング素子（Ｘｕ）が導通すれば、キャパシター（Ｃ３）、スイッチング素子（Ｘｓ、Ｘｕ）のループを通じてキャパシター（Ｃ３）に充電されている電圧（Ｖｓ）がスイッチング素子（Ｘｓ）の両端に印加され、キャパシター（Ｃ４）、スイッチング素子（Ｘｕ）のボディーダイオード、スイッチング素子（Ｘｈ、ＸＬ、Ｘｇ）のループを通じてキャパシター（Ｃ４）に充電されている電圧（Ｖｓ）がスイッチング素子（Ｘｈ）の両端に印加される。
【００５５】
したがって、モード１では導通していないスイッチング素子（ＹＬ、Ｙｇ、Ｘｓ、Ｘｈ）の内圧はＶｓでクランピングされる。
【００５６】
次に、図５Ｂ及び図６を参照してモード２（Ｍ２）での動作を説明する。モード２（Ｍ２）ではスイッチング素子（Ｙｓ、Ｙｈ、Ｘｇ、ＸＬ、Ｙｂ、Ｘｕ）が遮断されてスイッチング素子（Ｘｓ、Ｘｈ、Ｙｇ、ＹＬ、Ｘｂ、Ｙｕ）が導通する。
【００５７】
その後、導通したスイッチング素子（Ｙｇ、ＹＬ）によってパネルキャパシター（Ｃｐ）のＹ電極には電源（−Ｖｓ）の電圧（−Ｖｓ）が印加され、導通したスイッチング素子（Ｘｓ、Ｘｈ）によってパネルキャパシター（Ｃｐ）のＸ電極では電源（Ｖｓ）の電圧（Ｖｓ）が印加される。したがって、パネルキャパシター（Ｃｐ）のＹ及びＸ電極電圧（Ｖｙ、Ｖｘ）は各々−Ｖｓ及びＶｓとなって、パネルキャパシター（Ｃｐ）の両端に印加される電圧は−２Ｖｓとなる。つまり、維持放電に必要な電圧である２Ｖｓを印加することができる。
【００５８】
そして、スイッチング素子（Ｘｂ）が導通すれば、キャパシター（Ｃ３）、スイッチング素子（Ｘｓ、Ｘｈ、ＸＬ）及びスイッチング素子（Ｘｂ）のボディーダイオードのループを通じてスイッチング素子（ＸＬ）の両端にはキャパシター（Ｃ３）に充電されている電圧（Ｖｓ）が印加され、キャパシター（Ｃ４）及びスイッチング素子（Ｘｂ、Ｘｇ）のループを通じてスイッチング素子（Ｘｇ）の両端にはキャパシター（Ｃ４）に充電されている電圧（Ｖｓ）が印加される。
【００５９】
また、スイッチング素子（Ｙｕ）が導通すれば、キャパシター（Ｃ１）及びスイッチング素子（Ｙｓ、Ｙｕ）のループを通じてスイッチング素子（Ｙｓ）の両端にはキャパシター（Ｃ１）に充電されている電圧（Ｖｓ）が印加され、キャパシター（Ｃ２）、スイッチング素子（Ｙｕ）のボディーダイオード、スイッチング素子（Ｙｈ、ＹＬ、Ｙｇ）のループを通じてスイッチング素子（Ｙｈ）の両端にはキャパシター（Ｃ２）に充電されている電圧が印加される。
【００６０】
したがって、モード２では導通していないスイッチング素子（Ｙｓ、Ｙｈ、ＸＬ、Ｘｇ）の内圧はＶｓでクランピングされる。
【００６１】
このように本発明の第１実施例によれば、スイッチング素子（Ｙｕ、Ｙｂ、Ｘｕ、Ｘｂ）を動作させてスイッチング素子（Ｙｓ、Ｙｈ、ＹＬ、Ｙｇ、Ｘｓ、Ｘｈ、ＸＬ、Ｘｇ）に印加される電圧をＶｓでクランピングすることができるので、このようなスイッチング素子（Ｙｓ、Ｙｈ、ＹＬ、Ｙｇ、Ｘｓ、Ｘｈ、ＸＬ、Ｘｇ）として低い内圧のスイッチング素子を使用することができる。また、キャパシター（Ｃ１、Ｃ２、Ｃ３、Ｃ４）はパネルキャパシター（Ｃｐ）のＹまたはＸ電極に負電圧を印加するのに使用されないので、従来技術のように初期起動時に大きな突入電流が発生しない。
【００６２】
この時、パネルキャパシター（Ｃｐ）のキャパシタンス成分のため、維持放電のための波形を印加するためには放電のための電力以外に無効電力が必要である。このような無効電力を回収して再使用する回路を電力回収回路という。以下では本発明の第１実施例による駆動回路に電力回収回路を追加した実施例について図７乃至図９を参照して説明する。
【００６３】
図７は、本発明の第２実施例による駆動回路を示す図面である。
【００６４】
図７に示したように、本発明の第２実施例による駆動回路は、第１実施例による駆動回路にＹ及びＸ電極電力回収部３５０、３６０が追加されて形成される。
【００６５】
Ｙ電極電力回収部３５０は、インダクタ（Ｌ１）及びスイッチング素子（Ｙｒ、Ｙｆ）を含む。インダクタ（Ｌ１）は、一端がＹ電極駆動部３１０のスイッチング素子（Ｙｈ、ＹＬ）の接点、つまり、パネルキャパシター（Ｃｐ）のＹ電極に連結され、スイッチング素子（Ｙｒ、Ｙｆ）は、インダクタ（Ｌ１）の他端と接地端子の間に並列に連結されている。このようなＹ電極電力回収部３５０は、スイッチング素子（Ｙｒ、Ｙｆ）とインダクタ（Ｌ１）の間に各々連結されるダイオード（Ｄ１、Ｄ２）をさらに含むことができる。このようなダイオード（Ｄ１、Ｄ２）は、インダクタ（Ｌ１）への電流経路とインダクタ（Ｌ１）からの電流経路を形成する。
【００６６】
Ｘ電極電力回収部３６０は、インダクタ（Ｌ２）及びスイッチング素子（Ｘｒ、Ｘｆ）を含み、また、ダイオード（Ｄ３、Ｄ４）をさらに含むことができる。Ｘ電極電力回収部３６０の構造についてはＹ電極電力回収部３５０の構造と同一であるので説明を省略する。そして、Ｙ及びＸ電極電力回収部３５０、３６０のスイッチング素子（Ｙｒ、Ｙｆ、Ｘｒ、Ｘｆ）はＭＯＳＦＥＴなどからなることができる。
【００６７】
次に、図８Ａ乃至図８Ｈ、図９を参照して、本発明の第２実施例による駆動回路の駆動方法について説明する。
【００６８】
図８Ａ乃至図８Ｈは、本発明の第２実施例による駆動回路で各モードの電流経路を示す図面であり、図９は、本発明の第２実施例による駆動回路の動作タイミングを示す図面である。
【００６９】
本発明の第２実施例では下記のモード１が始まる前にスイッチング素子（Ｘｓ、Ｘｈ、Ｙｇ、ＹＬ、Ｘｂ、Ｙｕ）が導通しており、スイッチング素子（Ｙｓ、Ｙｈ、Ｘｇ、ＸＬ、Ｙｆ、Ｘｒ、Ｙｒ、Ｘｆ、Ｙｂ、Ｘｕ）は遮断されていると仮定する。また、キャパシター（Ｃ１、Ｃ２、Ｃ３、Ｃ４）にはＶｓの電圧が充電されており、インダクタ（Ｌ１、Ｌ２）のインダクタンスはＬと仮定する。
【００７０】
▲１▼モード１（Ｍ１）
図８Ａ及び図９のＭ１区間を参照してモード１での動作を説明する。
モード１が始まる前には電源（Ｖｓ）、スイッチング素子（Ｘｓ、Ｘｈ）、パネルキャパシター（Ｃｐ）、スイッチング素子（ＹＬ、Ｙｇ）及び電源（−Ｖｓ）に電流経路８１が形成される。その後、電源（Ｖｓ）によってパネルキャパシター（Ｃｐ）のＸ電極電圧（Ｖｘ）はＶｓに維持され、Ｙ電極は電源（−Ｖｓ）によってその電圧（Ｖｙ）が−Ｖｓに維持される。
そして、スイッチング素子（Ｘｂ）が導通しているので第１実施例で説明したようにキャパシター（Ｃ３、Ｃ４）に各々充電された電圧（Ｖｓ）によってスイッチング素子（ＸＬ、Ｘｇ）の内圧がＶｓでクランピングされる。同様に、スイッチング素子（Ｙｕ）が導通しているのでキャパシター（Ｃ１、Ｃ２）に各々充電された電圧（Ｖｓ）によってスイッチング素子（Ｙｓ、Ｙｈ）の内圧が常にＶｓでクランピングされる。
この時スイッチング素子（Ｙｒ、Ｘｆ）が導通すれば、接地端子、スイッチング素子（Ｙｒ）、ダイオード（Ｄ１）、インダクタ（Ｌ１）、スイッチング素子（ＹＬ、Ｙｇ）及び電源（−Ｖｓ）への電流経路８２と電源（Ｖｓ）、スイッチング素子（Ｘｓ、Ｘｈ）、インダクタ（Ｌ２）、ダイオード（Ｄ４）、スイッチング素子（Ｘｆ）及び接地端子への電流経路８３が形成される。この電流経路８２、８３によってインダクタ（Ｌ１、Ｌ２）に流れるＶｓ／Ｌの傾きを有し、電流（ＩＬ１、ＩＬ２）は線形的に増加し、この電流（ＩＬ１、ＩＬ２）によってインダクタ（Ｌ１、Ｌ２）にはエネルギーが蓄積される。
【００７１】
▲２▼モード２（Ｍ２）
図８Ｂ及び図９のＭ１区間を参照してモード２での動作を説明する。
モード２ではスイッチング素子（Ｙｒ、Ｘｆ）が導通した状態でスイッチング素子（Ｘｓ、Ｘｈ、Ｙｇ、ＹＬ、Ｘｂ、Ｙｕ）が遮断される。その後、スイッチング素子（Ｙｒ）、ダイオード（Ｄ１）、インダクタ（Ｌ１）、パネルキャパシター（Ｃｐ）、インダクタ（Ｌ２）、ダイオード（Ｄ４）及びスイッチング素子（Ｘｆ）に電流経路８４が形成され、インダクタ（Ｌ１、Ｌ２）とパネルキャパシター（Ｃｐ）による共振電流が流れる。この共振電流によってパネルキャパシター（Ｃｐ）のＹ電極電圧（Ｖｙ）はＶｓに増加し、Ｘ電極電圧（Ｖｘ）は−Ｖｓに減少し、これら電圧は各々スイッチング素子（Ｙｓ、Ｙｈ）及びスイッチング素子（ＸＬ、Ｘｇ）のボディーダイオードによってＶｓ及び−Ｖｓを越えない。
このように予めインダクタ（Ｌ１、Ｌ２）にエネルギーを蓄積し、このエネルギーと共振電流を利用してパネルキャパシター（Ｃｐ）のＹ及びＸ電極電圧（Ｖｙ、Ｖｘ）を変化させるために、回路の寄生成分などがある実際の場合にもＹ及びＸ電極電圧（Ｖｙ、Ｖｘ）を各々Ｖｓ及び−Ｖｓまで変化させることができる。
【００７２】
▲３▼モード３（Ｍ３）
図８Ｃ及び図９のＭ３区間を参照してモード３での動作を説明する。
モード３ではスイッチング素子（Ｙｒ、Ｘｆ）が導通した状態でスイッチング素子（Ｙｓ、Ｙｈ、Ｘｇ、ＸＬ）が導通し、電源（Ｖｓ）、スイッチング素子（Ｙｓ、Ｙｈ）、パネルキャパシター（Ｃｐ）、スイッチング素子（ＸＬ、Ｘｇ）及び電源（−Ｖｓ）に電流経路８５が形成される。次に、電源（Ｖｓ）及び電源（−Ｖｓ）によってパネルキャパシター（Ｃｐ）のＹ及びＸ電極電圧（Ｖｙ、Ｖｘ）は各々Ｖｓ及び−Ｖｓに維持される。
また、インダクタ（Ｌ１）に流れた電流（ＩＬ１）はスイッチング素子（Ｙｒ）、ダイオード（Ｄ１）、インダクタ（Ｌ１）、スイッチング素子（Ｙｈ）のボディーダイオード、スイッチング素子（Ｙｓ）のボディーダイオードで形成される経路８６を通じて電源（Ｖｓ）に回収され、インダクタ（Ｌ２）に流れた電流（ＩＬ２）はスイッチング素子（Ｘｇ）のボディーダイオード、スイッチング素子（ＸＬ）のボディーダイオード、インダクタ（Ｌ２）、ダイオード（Ｄ４）及びスイッチング素子（Ｘｆ）で形成される経路８７を通じて接地端子に回収される。
【００７３】
そして、スイッチング素子（Ｙｂ）が導通して本発明の第１実施例で説明したように、キャパシター（Ｃ１、Ｃ２）に各々充電された電圧（Ｖｓ）によって導通されていないスイッチング素子（ＹＬ、Ｙｇ）の内圧は常にＶｓでクランピングされる。同様にスイッチング素子（Ｘｕ）が導通してキャパシター（Ｃ３、Ｃ４）に各々充電された電圧（Ｖｓ）によってスイッチング素子（Ｘｓ、Ｘｈ）の内圧は常にＶｓでクランピングされる。
【００７４】
▲４▼モード４（Ｍ４）
図８Ｄ及び図９のＭ４区間を参照してモード４での動作を説明する。
モード４ではスイッチング素子（Ｙｓ、Ｙｈ、Ｘｇ、ＸＬ、Ｙｂ、Ｘｕ）が導通した状態でスイッチング素子（Ｙｒ、Ｘｆ）が遮断される。次に、モード３での電流経路８５によってパネルキャパシター（Ｃｐ）のＹ及びＸ電極電圧（Ｖｙ、Ｖｘ）は各々Ｖｓ及び−Ｖｓを維持し続ける。そして、導通したスイッチング素子（Ｙｂ、Ｘｕ）によってスイッチング素子（Ｘｓ、Ｘｈ、ＹＬ、Ｙｇ）の内圧はＶｓに継続してクランピングされている。
【００７５】
▲５▼モード５（Ｍ５）
図８Ｅ及び図９のＭ５区間を参照してモード５での動作を説明する。
モード５ではスイッチング素子（Ｙｓ、Ｙｈ、Ｘｇ、ＸＬ、Ｙｂ、Ｘｕ）が導通した状態でスイッチング素子（Ｙｆ、Ｘｒ）が導通する。次に、電流経路８５によってパネルキャパシター（Ｃｐ）のＹ及びＸ電極電圧（Ｖｙ、Ｖｘ）は各々Ｖｓ及び−Ｖｓを維持する。そして、導通したスイッチング素子（Ｙｆ、Ｘｒ）によって電源（Ｖｓ）、スイッチング素子（Ｙｓ、Ｙｈ）、インダクタ（Ｌ１）、ダイオード（Ｄ２）、スイッチング素子（Ｙｆ）及び接地端子への電流経路８８と接地端子、スイッチング素子（Ｘｒ）、ダイオード（Ｄ３）、インダクタ（Ｌ２）、スイッチング素子（ＸＬ、Ｘｇ）及び電源（−Ｖｓ）への電流経路８９が形成される。この電流経路８８、８９によってインダクタ（Ｌ１、Ｌ２）に流れる電流（ＩＬ１、ＩＬ２）の大きさは各々Ｖｓ／Ｌの傾きで線形的に増加し（モード１で流れる電流と反対方向であるので図９ではこの電流を負数で表示する）、この電流（ＩＬ１、ＩＬ２）によってインダクタ（Ｌ１、Ｌ２）にはエネルギーが蓄積される。
また、導通したスイッチング素子（Ｙｂ、Ｘｕ）によってスイッチング素子（Ｘｓ、Ｘｈ、ＹＬ、Ｙｇ）の内圧はＶｓに継続してクランピングされている。
【００７６】
▲６▼モード６（Ｍ６）
図８Ｆ及び図９のＭ６区間を参照してモード６での動作を説明する。
モード６ではスイッチング素子（Ｙｆ、Ｘｒ）が導通した状態でスイッチング素子（Ｙｓ、Ｙｈ、Ｘｇ、ＸＬ、Ｙｂ、Ｘｕ）が遮断される。次に、スイッチング素子（Ｘｒ）、ダイオード（Ｄ３）、インダクタ（Ｌ２）、パネルキャパシター（Ｃｐ）、インダクタ（Ｌ１）、ダイオード（Ｄ２）及びスイッチング素子（Ｙｆ）に電流経路９０が形成され、インダクタ（Ｌ１、Ｌ２）とパネルキャパシター（Ｃｐ）による共振電流が流れる。この共振電流によってパネルキャパシター（Ｃｐ）のＹ電極電圧（Ｖｙ）は−Ｖｓに減少しＸ電極電圧（Ｖｘ）はＶｓに増加するようになり、これら電圧は各々スイッチング素子（ＹＬ、Ｙｇ）及びスイッチング素子（Ｘｓ、Ｘｈ）のボディーダイオードによって−Ｖｓ及びＶｓを越えない。
モード２で説明したことと同様に、予めインダクタ（Ｌ１、Ｌ２）に蓄積されたエネルギーを利用するために、回路の寄生成分などがある実際の場合にもＹ及びＸ電極電圧（Ｖｙ、Ｖｘ）を各々−Ｖｓ及びＶｓまで変化させることができる。
【００７７】
▲７▼モード７（Ｍ７）
図８Ｇ及び図７のＭ７区間を参照してモード７での動作を説明する。
モード７ではスイッチング素子（Ｙｆ、Ｘｒ）が導通した状態でスイッチング素子（Ｘｓ、Ｘｈ、Ｙｇ、ＹＬ）が導通し、電源（Ｖｓ）、スイッチング素子（Ｘｓ、Ｘｈ）、パネルキャパシター（Ｃｐ）、スイッチング素子（ＹＬ、Ｙｇ）及び電源（−Ｖｓ）に電流経路８１が形成される。次に、電源（Ｖｓ）及び電源（−Ｖｓ）によってパネルキャパシター（Ｃｐ）のＸ及びＹ電極電圧（Ｖｘ、Ｖｙ）は各々Ｖｓ及び−Ｖｓに維持される。
また、インダクタ（Ｌ１）に流れた電流（ＩＬ１）はスイッチング素子（Ｙｇ）のボディーダイオード、スイッチング素子（ＹＬ）のボディーダイオード、インダクタ（Ｌ１）、ダイオード（Ｄ２）及びスイッチング素子（Ｙｆ）で形成される経路９１を通じて接地端子で回収され、インダクタ（Ｌ２）に流れた電流（ＩＬ２）はスイッチング素子（Ｘｒ）、ダイオード（Ｄ３）、インダクタ（Ｌ２）、スイッチング素子（Ｘｈ）のボディーダイオード及びスイッチング素子（Ｘｓ）のボディーダイオードを通じて電源（Ｖｓ）に回収される。つまり、インダクタ（Ｌ１、Ｌ２）に各々流れる電流（ＩＬ１、ＩＬ２）の大きさはＶｓ／Ｌの傾きで線形的に０Ａまで減少する。
そして、スイッチング素子（Ｙｕ、Ｘｂ）が導通するのでモード１で説明したようにスイッチング素子（Ｙｓ、Ｙｈ、ＸＬ、Ｘｇ）の内圧は常にＶｓでクランピングされる。
【００７８】
▲８▼モード８（Ｍ８）
図８Ｈ及び図９のＭ８区間を参照してモード８での動作を説明する。
モード８ではスイッチング素子（Ｘｓ、Ｘｈ、Ｙｇ、ＹＬ、Ｘｂ、Ｙｕ）が導通した状態でスイッチング素子（Ｙｆ、Ｘｒ）が遮断される。次に、モード７での電流経路８１によってパネルキャパシター（Ｃｐ）のＹ及びＸ電極電圧（Ｖｙ、Ｖｘ）は各々−Ｖｓ及びＶｓを維持し続ける。そして、モード７と同様に導通したスイッチング素子（Ｙｕ、Ｘｂ）によってスイッチング素子（Ｙｓ、Ｙｈ、ＸＬ、Ｘｇ）の内圧は常にＶｓでクランピングされる。
その後、モード１乃至モード８のサイクルを継続して繰り返してＶｓ及び−Ｖｓの間をスイングするＹ及びＸ電極電圧（Ｖｙ、Ｖｘ）を生成することにより、Ｘ電極とＹ電極間の電位差を維持放電電圧（２Ｖｓ）とすることができる。
【００７９】
本発明の第２実施例では、Ｙ電極及びＸ電極電力回収部３５０、３６０に各々インダクタを一つずつ使用したが、これに限定されず、他の変形された全ての電力回収部を使用することができる。例えば、Ｙ電極電力回収部３５０に互いに異なる経路を形成するインダクタ（Ｌ１１、Ｌ１２）を使用することができる。詳しく説明すれば、Ｙ電極電圧がＶｓを維持している間にはインダクタ（Ｌ１１）にエネルギーを蓄積し、このエネルギーを利用してＹ電極電圧を−Ｖｓに変える。次に、Ｙ電極電圧が−Ｖｓを維持している間にはインダクタ（Ｌ１１）のエネルギーを回収しながら、インダクタ（Ｌ１２）にはエネルギーを蓄積し、このエネルギーを利用してＹ電極電圧をＶｓに変える。
【００８０】
本発明の実施例では、キャパシター（Ｃ１、Ｃ２、Ｃ３、Ｃ４）があると仮定してキャパシター（Ｃ１、Ｃ２、Ｃ３、Ｃ４）に充電された電圧によってスイッチング素子に内圧がかかるものと説明した。しかし、前述したようにキャパシター（Ｃ１、Ｃ２、Ｃ３、Ｃ４）がなくてもよく、このようなキャパシターがない場合には電源（Ｖｓ、−Ｖｓ）によってスイッチング素子に内圧が印加される。
【００８１】
そして、本発明の第１及び第２実施例では電源（Ｖｓ）及び電源（−Ｖｓ）が供給する電圧を各々Ｖｓ及び−Ｖｓとしたが、二つの電源の電圧差が維持放電に必要な電圧である２Ｖｓとなれば、他の電圧を使用してもよい。つまり、電源（Ｖｓ）及び電源（−Ｖｓ）が供給する電圧を各々Ｖｈ及び（Ｖｈ−２Ｖｓ）として、Ｙ及びＸ電極電圧（Ｖｙ、Ｖｘ）がＶｈ及び（Ｖｈ−２Ｖｓ）の間をスイングするようにすることが可能である。このように電源を変えることによってパネルキャパシター（Ｃｐ）のＸ電極及びＹ電極にＶｓ及び−Ｖｓではない他の電圧が印加される場合にもこのような駆動回路を適用することができる。
【００８２】
また、本発明の第１及び第２実施例では電源とパネルキャパシター（Ｃｐ）のＸまたはＹ電極の間にスイッチング素子が二つ形成される場合について説明したが、これに限定されず、スイッチング素子がいくつか形成される場合にも適用可能である。例えば、電源（Ｖｓ）とパネルキャパシターのＹ電極の間に４個のスイッチング素子（Ｓ１、Ｓ２、Ｓ３、Ｓ４）が直列に連結される場合に、スイッチング素子（Ｓ２、Ｓ３）の接点にスイッチング素子（Ｙｕ）を連結すれば、スイッチング素子（Ｓ１、Ｓ２）全体及びスイッチング素子（Ｓ３、Ｓ４）全体に各々Ｖｓの内圧がかかる。
【００８３】
【発明の効果】
このように本発明によると、スイッチング素子の内圧を維持放電に必要な電圧（２Ｖｓ）の半分にすることができるので低い内圧のスイッチング素子を使用することができ、これにより生産単価を減らすことが可能である。そして、外部キャパシターに充電された電圧を使用してパネルキャパシターの端子電圧を変える場合に発生され得る突入電流を除去することができる。また、駆動回路に印加される電源を変えることによってサステインパルスの波形に関係なく本発明による駆動回路を適用することができる。
【００８４】
以上、本発明の好ましい実施例について詳細に説明したが、本発明の権利範囲はこれに限定されず、請求範囲で定義している本発明の基本概念を利用した当業者の多様な変形及び改良形態もまた本発明の権利範囲に属する。
【図面の簡単な説明】
【図１】従来技術による駆動回路を示す図面である。
【図２】従来技術による駆動回路の動作タイミングを示す図面である。
【図３】本発明によるプラズマディスプレイパネルを示す図面である。
【図４】各々本発明の第１及び第２実施例によるプラズマディスプレイパネルの駆動回路を示す図面である。
【図５Ａ】本発明の第１実施例による駆動回路で各モードの電流経路を示す図面である。
【図５Ｂ】本発明の第１実施例による駆動回路で各モードの電流経路を示す図面である。
【図６】各々本発明の第１及び第２実施例による駆動回路の動作タイミングを示す図面である。
及び
【図７】各々本発明の第１及び第２実施例によるプラズマディスプレイパネルの駆動回路を示す図面である。
【図８Ａ】本発明の第２実施例による駆動回路で各モードの電流経路を示す図面である。
【図８Ｂ】本発明の第２実施例による駆動回路で各モードの電流経路を示す図面である。
【図８Ｃ】本発明の第２実施例による駆動回路で各モードの電流経路を示す図面である。
【図８Ｄ】本発明の第２実施例による駆動回路で各モードの電流経路を示す図面である。
【図８Ｅ】本発明の第２実施例による駆動回路で各モードの電流経路を示す図面である。
【図８Ｆ】本発明の第２実施例による駆動回路で各モードの電流経路を示す図面である。
【図８Ｇ】本発明の第２実施例による駆動回路で各モードの電流経路を示す図面である。
【図８Ｈ】本発明の第２実施例による駆動回路で各モードの電流経路を示す図面である。
【図９】各々本発明の第１及び第２実施例による駆動回路の動作タイミングを示す図面である。
【符号の説明】
８５、８８、８９　　電流経路
８６、８７、９１　　経路
１００　　プラズマパネル
２００　　アドレス駆動部
３００　　走査・維持駆動部
３１０　　Ｙ電極駆動部
３２０　　Ｘ電極駆動部
３４０　　Ｘ電極クランピング部
３５０　　Ｙ電極電力回収部
３６０　　Ｘ電極電力回収部
４００　　制御部
Ａ１〜Ａｍ　　アドレス電極
Ｃｐ　　パネルキャパシター
Ｖｓ、−Ｖｓ　　電源
Ｃ１、Ｃ２、Ｃ３、Ｃ４　　キャパシター
Ｄ１、Ｄ２、ｄ３　　ダイオード
Ｌ１　　インダクタ
Ｓ１、Ｓ２、Ｓ３、Ｓ４　　スイッチング素子
Ｘ１〜Ｘｎ　　維持電極
Ｙ１〜Ｙｎ　　走査電極
【図１】
2004038158.tif 000003
【図２】
2004038158.tif 000004
【図３】
2004038158.tif 000005
【図４】
2004038158.tif 000006
【図５Ａ】
2004038158.tif 000007
【図５Ｂ】
2004038158.tif 000008
【図６】
2004038158.tif 000009
【図７】
2004038158.tif 000010
【図８Ａ】
2004038158.tif 000011
【図８Ｂ】
2004038158.tif 000012
【図８Ｃ】
2004038158.tif 000013
【図８Ｄ】
2004038158.tif 000014
【図８Ｅ】
2004038158.tif 000015
【図８Ｆ】
2004038158.tif 000016
【図８Ｇ】
2004038158.tif 000017
【図８Ｈ】
2004038158.tif 000018
【図９】
2004038158.tif 000019